(57)【特許請求の範囲】
【請求項１】
製品をディスプレイするためのディスプレイシステムであって、前記システムは、
前記製品を保持するためのリテーナであって、
連結された少なくとも１つの第１の磁石を有するリテーナ本体、及び
前記リテーナ本体に取り付けられたブラケットであって、前記製品の対向側面のまわりに延在するよう構成された少なくとも２つのブラケットアームを含む、ブラケットを備える、リテーナと、
ディスプレイステムであって、その近位端に凹部を画定し、前記凹部は、前記凹部の底に位置する開口部を画定し、前記開口部に隣接して配設されている少なくとも１つの第２の磁石を備えるディスプレイステムと、を備え、
前記リテーナ本体の少なくとも一部分は、前記ディスプレイステムの前記凹部内に配設されている際に、前記リテーナ本体が、所定の方向にない場合に、前記少なくとも１つの第１の磁石は、前記所定の方向への、前記リテーナ本体の回転を引き起こすよう構成されており、
前記少なくとも１つの第１の磁石は、前記少なくとも１つの第２の磁石との磁気引力により、前記回転を引き起こすよう構成されており、
前記リテーナは、前記ディスプレイステムに対して、１つより多い所定の方向を有する、ディスプレイシステム。
【請求項２】
前記リテーナ本体に取り付けられた保持ケーブルを更に備え、前記保持ケーブルは、前記ディスプレイステムの前記凹部内の前記開口部を通して延在する、請求項１に記載のディスプレイシステム。
【請求項３】
前記少なくとも１つの第１の磁石は、前記保持ケーブルのまわりに放射状に配設された複数の第１の磁石を備える、請求項２に記載のディスプレイシステム。
【請求項４】
前記少なくとも１つの第２の磁石は、前記開口部のまわりに放射状に配設された複数の第２の磁石を備える、請求項２に記載のディスプレイシステム。
【請求項５】
少なくとも２つの第１の磁石と、少なくとも２つの第２の磁石と、を備え、前記少なくとも２つの第１の磁石は、前記リテーナ本体の中心軸のまわりに互いに等距離に配設されており、前記少なくとも２つの第２の磁石は、前記凹部内の前記開口部のまわりに互いに等距離に配設されている、請求項１に記載のディスプレイシステム。
【請求項６】
前記リテーナ本体は、複数の第１の磁石を含み、
前記ディスプレイステムは、前記開口部に隣接して配設された複数の第２の磁石を含み、前記複数の第２の磁石は、交互の正極性及び負極性の方向を有し、
前記リテーナ本体の少なくとも一部分が、前記ディスプレイステムの前記凹部内に配設された際に、前記リテーナ本体が、少なくとも１つの所定の方向にない場合に、前記複数の第１の磁石が、前記所定の方向への、前記リテーナ本体の回転を引き起こし、
前記複数の第１の磁石は、前記複数の第１の磁石とは逆の極性を有する複数の前記第２の磁石との磁気引力によって、前記回転を引き起こす、請求項１に記載のディスプレイシステム。
【請求項７】
前記所定の方向は、前記凹部内で、前記リテーナ本体の回転の少なくとも９０度毎に放射状に分離されている、請求項６に記載のディスプレイシステム。
【請求項８】
前記第１の磁石は、前記リテーナの中心軸のまわりに、均等に、放射状に間隔があいている、請求項６に記載のディスプレイシステム。
【請求項９】
前記第２の磁石は、前記ディスプレイステムの中心軸のまわりに、均等に、放射状に間隔があいている、請求項６に記載のディスプレイシステム。
【請求項１０】
前記第２の磁石は、４５度の間隔で、前記ディスプレイステムのまわりに、放射状に間隔があいている、請求項６に記載のディスプレイシステム。
【請求項１１】
前記リテーナ本体の少なくとも一部分は、半球形状を画定し、前記ディスプレイステムの前記凹部は、前記リテーナ本体の前記半球状の部分を受容する形状を有している、請求項１に記載のディスプレイシステム。
【請求項１２】
前記凹部は半球状である、請求項１１に記載のディスプレイシステム。
【請求項１３】
前記凹部は、前記リテーナ本体の前記半球状の部分全体を受容する形状を有している、
請求項１１に記載のディスプレイシステム。
【請求項１４】
前記リテーナ本体は、ピーク領域、ベース領域、及び前記実質的に滑らかな曲線状の外面を含み、前記実質的に滑らかな曲線状の外面の少なくとも一部分は、前記ピーク領域から前記ベース領域に延在する、連続して変化する勾配を有する、請求項１に記載のディスプレイシステム。
【請求項１５】
前記連続して変化する勾配は、連続して増加する勾配である、請求項１４に記載のディスプレイシステム。
【請求項１６】
前記連続して変化する勾配は、一定の曲率である、請求項１４に記載のディスプレイシステム。
【請求項１７】
前記外面は半球状である、請求項１４に記載のディスプレイシステム。
【請求項１８】
前記ベース領域は、前記ブラケットに直近に隣接している、請求項１４に記載のディスプレイシステム。
【請求項１９】
前記外面は、締結機構を受容し、前記リテーナ本体及び前記ブラケットを共に連結するよう構成された、１つ以上の穴を画定し、前記１つ以上の穴のそれぞれは、前記リテーナ本体の前記回転軸に平行な方向に方向付けられている、請求項１４に記載のディスプレイシステム。
【請求項２０】
製品をディスプレイするためのディスプレイシステムであって、前記システムは、
前記製品を保持するためのリテーナであって、
リテーナ本体に連結され且つ前記リテーナの中心軸のまわりに放射状に間隔があいている複数の第１の磁石を備え、前記リテーナ本体の少なくとも一部分が、半球形状を画定する前記リテーナ本体、及び
前記リテーナ本体に取り付けられたブラケットであって、前記製品の対向側面のまわりに延在するよう構成された少なくとも２つのブラケットアームを含む、ブラケットを備える、リテーナと、
ディスプレイステムであって、その近位端に凹部を画定し、前記ディスプレイステムに結合する複数の第２の磁石を有し、前記凹部は、前記リテーナ本体の半球部分を受容するように構成される半球形状を画定し、前記凹部の底に位置する開口を画定する、ディスプレイシステムと、を備え、
前記複数の第２の磁石は、前記凹部によって画定される前記開口に隣接して配設され、
前記リテーナ本体の少なくとも一部分は、前記ディスプレイステムの前記凹部内に配設されている際に、前記リテーナ本体が、所定の方向にない場合に、前記複数の第１の磁石が、前記複数の第２の磁石との磁気引力によって、前記所定の方向への、前記リテーナ本体の回転を引き起こすように構成されている、ディスプレイシステム。
【発明の詳細な説明】
【技術分野】
【０００１】
説明する実施形態は一般的に、製品をディスプレイするためのディスプレイシステム及び方法に関する。特に、これらの実施形態は、小売店舗内で、消費者向け製品をディスプレイするためのディスプレイステム及び製品リテーナに関する。
【背景技術】
【０００２】
小売業者又は他の人は、潜在的な購入者又は他の人が、製品を使用できる（試用、等）ようにしたいと希望する場合がある。いくつかの場合では、小売業者は、潜在的な購入者が、表示領域から製品を取り外すことができることを制限するよう更に希望する場合がある。
【発明の概要】
【０００３】
小売業者は、購入者が購入可能な製品を表すディスプレイモデル製品を有する場合がある。そのような購入を促進する目的で、小売業者は、ディスプレイモデルを潜在的な購入者に利用可能にする場合がある。そのような使用を促すため、小売業者は、調和した、美的に満足のゆく方法で製品を提示することを更に希望する場合があり、これにより、潜在的な購入者がアイテムを扱い、試すことを更に促進し、潜在的な購入者が製品を見て使用することを、ディスプレイスタンドの要素ができるだけ邪魔しないよう希望する。小売業者はしかし、潜在的な購入者が、表示領域からディスプレイモデルを取り外すことができることを制限するよう希望することができる（窃盗又は他の無認可の使用を防止するため、等）。
【０００４】
これを実現するため、小売業者は、本明細書に説明する実施形態によるディスプレイシステム又はその要素を使用することができる。
【０００５】
いくつかの実施形態では、製品をディスプレイするためのディスプレイシステムは、製品を保持するためのリテーナであって、少なくとも一部分が半球形状を画定するリテーナ本体と、リテーナ本体に取り付けられたブラケットであって、製品の対向側面のまわりに延在するよう構成された少なくとも２つのブラケットアームを含むブラケットと、を含むリテーナと、ディスプレイステムであって、その近位端に凹部を画定し、リテーナ本体の半球状の部分を受容する形状を有している、ディスプレイステムと、を備える。
【０００６】
いくつかの実施形態では、製品をディスプレイするためのディスプレイシステムは、製品を保持するためのリテーナを備え、このリテーナは、複数の第１の電荷接点を外面上に有するリテーナ本体を含み、このリテーナ本体の少なくとも一部分は半球状である。本システムはまた、半球状のリテーナ本体を受容するよう形成された凹部であって、複数の第２の電荷接点を含む凹部を画定するディスプレイステムもまた含んでよい。第１の電荷接点及び第２の電荷接点は、リテーナ本体が凹部内にある際に、電気的に通信することができる。
【０００７】
いくつかの実施形態では、製品をディスプレイするためのディスプレイシステムは、製品を保持するためのリテーナであって、連結された少なくとも１つの第１の磁石を有するリテーナ本体と、リテーナ本体に取り付けられたブラケットであって、製品の対向側面のまわりに延在するよう構成された少なくとも２つのブラケットアームを含むブラケットと、を備えるリテーナと、ディスプレイステムであって、その近位端に凹部を画定し、前記凹部は開口部を画定し、少なくとも１つの第２の磁石が、前記開口部に隣接して配設されている、ディスプレイステムと、を備え、リテーナ本体の少なくとも一部分は、ディスプレイステムの凹部内に配設された際に、リテーナ本体が、所定の方向にない場合に、少なくとも１つの第１の磁石が、所定の方向への、リテーナ本体の回転を引き起こすよう構成されており、少なくとも１つの第２の磁石との、磁気引力により、回転を引き起こすよう構成されている。
【０００８】
いくつかの実施形態では、製品をディスプレイするためのディスプレイシステムは、製品を保持するためのリテーナを備え、このリテーナは、複数の第１の磁石を有するリテーナ本体を含むリテーナを備える。本システムはまた、凹部と、開口部と、を画定するディスプレイステムを備えることができ、このディスプレイステムは、開口部に隣接して配設されて、交互の正極性及び負極性の方向を有する複数の第２の磁石を含むことができる。複数の第１の磁石は、リテーナ本体の少なくとも一部分が、ディスプレイステムの凹部内に配設されている際に、リテーナ本体が、所定の方向にない場合に、複数の第１の磁石が、所定の方向への、リテーナ本体の回転を引き起こすよう構成されてもよく、複数の第１の磁石とは逆の極性を有する複数の第２の磁石との磁気引力によって、回転を引き起こすことができる。
【０００９】
いくつかの実施形態では、製品をディスプレイするためのディスプレイシステムは、リテーナ本体と、リテーナ本体に連結された少なくとも１つの第１の磁石であって、リテーナ本体の少なくとも一部分が、ディスプレイステム内に配設されている際に、リテーナ本体が、所定の方向にない場合に、所定の方向への、リテーナ本体の回転を引き起こすよう構成された少なくとも１つの第１の磁石と、を備える。
【００１０】
いくつかの実施形態では、製品をディスプレイするためのディスプレイシステムは、リテーナ本体と、リテーナ本体に取り付けられたブラケットと、を備え、このブラケットは少なくとも２つのブラケット部品を含み、各ブラケット部品は、製品の対向側面のまわりに延在するためのブラケットアームを有する。本システムはまた、補助プラグを有する補助ケーブルを備えてもよく、リテーナ本体は、補助プラグの少なくとも一部分を受容するよう、プラグの凹部を画定し、各ブラケット部品の一部分は、プラグの凹部の少なくとも一部分及び補助ケーブルを包み、プラグの凹部内に補助プラグを保持する。
【００１１】
いくつかの実施形態では、製品を保持するためのリテーナは、ピーク領域、ベース領域、及び実質的に滑らかな曲線状の外面を有するリテーナ本体と、リテーナ本体に取り付けられたブラケットであって、リテーナに対して製品を保持するよう構成された少なくとも２つのブラケットアームを含むブラケットと、を含み、実質的に滑らかな曲線状の外面の少なくとも一部分は、ピーク領域からベース領域へ延在する、連続して変化する勾配を有する。
【００１２】
いくつかの実施形態では、製品をディスプレイする方法は、リテーナに対して製品を保持することであって、リテーナは、実質的に滑らかな外面を画定する本体を備える、ことと、リテーナに連結され、ディスプレイステムを通して延在する、張力が掛けられたケーブルを使用して、ディスプレイステムの遠位端上にリテーナを引き込むことと、リテーナが、所定の方向にない場合に、磁力を使用して、ディスプレイステムに対して、所定の方向へリテーナを方向付けることと、を備える。
【００１３】
いくつかの実施形態では、製品リテーナへのケーブルを取り外す方法は、製品リテーナに接続されたケーブルを、取り外しツールの切り込み内に位置決めすることと、取り外しツールの少なくとも２つのピンを、製品リテーナに取り付けられたケーブルの対向する側の、製品リテーナ上に位置する少なくとも２つの取り外し開口内に挿入することと、少なくとも２つのピンの挿入に応答して、製品リテーナ内に配設された解放機構を作動させること、とを備え、少なくとも２つのピンは、切り込みの対向する側に配設されている。
【００１４】
添付の図面と共に以下の「発明を実施するための形態」により、本開示は容易に理解されるであろう。図中、同一符号は同一の構造要素を示す。
【図面の簡単な説明】
【００１５】
【図１】一実施形態に係る、製品を保持するディスプレイシステムを示す。
【図２】一実施形態に係るディスプレイシステムの断面図を示す。
【図３】一実施形態に係るディスプレイシステムの斜視図を示す。
【図４】一実施形態に係るリテーナの第１の斜視図を示す。
【図５】一実施形態に係るリテーナの第２の斜視図を示す。
【図６】一実施形態に係るブラケットの斜視図を示す。
【図７】一実施形態に係るディスプレイシステムの分解図を示す。
【図８】切断線８−８’における、図７に示すディスプレイシステムの断面図を示す。
【図９】一実施形態に係る、組み立てたディスプレイシステムを示す。
【図１０】切断線１０−１０’における、図９に示すディスプレイシステムの断面図を示す。
【図１１】一実施形態に係るリテーナの下部斜視図を示す。
【図１２】一実施形態に係るリテーナの上部斜視図を示す。
【図１３】一実施形態に係るリテーナの側面図を示す。
【図１４】一実施形態に係るリテーナの下面図を示す。
【図１５】一実施形態に係るディスプレイステムの断面図を示す。
【図１６】図１５の矢印１６から見たディスプレイステムの図を示す。
【図１７】一実施形態に係るリテーナの分解図を示す。
【図１８】一実施形態に係る、異なる組み立て状態におけるリテーナの一部の上面図を示す。
【図１９】一実施形態に係る、異なる組み立て状態におけるリテーナの一部の上面図を示す。
【図２０】一実施形態に係るディスプレイステムの一部の分解図を示す。
【図２１】図１５の矢印１６から見たディスプレイステムの図を示す。
【図２２】一実施形態に係るリテーナの一部の分解図を示す。
【図２３】一実施形態に係るリテーナの下面図を示す。
【図２４】一実施形態に係る取り外しツールを示す。
【図２５】一実施形態に係る取り外しツールの作動状態を示す。
【図２６】一実施形態に係る、複数の製品を保持するディスプレイシステムを示す。
【発明を実施するための形態】
【００１６】
添付図面に示される代表的な実施形態に対する言及が以下に詳細になされ、これらには、類似の参照番号を使用して、同一の要素又は機能的に類似の要素が示される。以下の説明は、実施形態を１つの好適な実施形態に限定することを意図してはいないことを理解されたい。反対に、以下の説明は、添付の特許請求の範囲により画定される記載された実施形態の趣旨及び範囲に含むことができるような、代替形態、修正形態、及び均等物をカバーすることを意図している。
【００１７】
「一実施形態」、「ある実施形態」、「いくつかの実施形態」などへの言及は、記述の実施形態が特定の特徴、構造、又は特性を含むことができるが、全ての実施形態が必ずしもこれらの特定の特徴、構造、又は特性を含むとは限らないことを示している。更には、このような表現は、必ずしも同一の実施形態に言及しているわけではない。更に、ある実施形態に関連して特定の特徴、構造、又は特性が説明されるとき、明示的に説明されているか否かに拘わらず、他の実施形態に関連してこのような特徴、構造、又は特性をもたらすことは、当業者の知識の範囲内であると考えられる。
【００１８】
小売業者は、購入者が購入可能な製品を表すディスプレイモデル製品を有し得る。そのような購入を促進する目的で、小売業者は、ディスプレイモデルを潜在的な購入者に利用可能にすることができる。小売業者はしかし、潜在的な購入者が、表示領域からディスプレイモデルを取り外すことができることを制限するよう希望する場合がある（窃盗又は他の無認可の使用を防止するため、等）。これを実現するため、小売業者は、セキュリティ機能を備えることができる、本明細書に説明するようなスタンドを使用する場合がある。本明細書は、潜在的な購入者が使用するためのディスプレイモデルを提供する小売業者の見地から、そのディスプレイスタンドを説明するが、ディスプレイスタンドは、例えばユーザが、ディスプレイされたアイテムを使用し得るキオスクや、カスタマーサービスステーションなどの、任意の他の好適な状況（アイテムの使用が制限されるよう希望される任意の状況、等）に適用され得る。
【００１９】
潜在的な購入者による製品の使用を可能にする小売業者は、美的に満足のゆく方法にて製品を提示することを更に希望する場合があり、これにより、潜在的な購入者がアイテムを扱い、試すことを更に促進し、潜在的な購入者が製品を見て使用することを、ディスプレイスタンドの要素ができるだけ邪魔しないように希望する。潜在的な購入者を更に惹き付けるため、ディスプレイスタンドは、調和のとれた美的に満足のゆく外観を提供するよう構成され、潜在的な購入者がアイテムを見て、手に取り、試す際に、その体験を損なわないことが望まれる。
【００２０】
説明するように、本発明の実施形態は、製品をディスプレイするためのシステム及び方法に関する。本システムは、製品をユーザに提示するよう協調する、ディスプレイステムと、リテーナと、を含んでもよい。リテーナは、製品（例えば電話、タブレットコンピュータ、カメラ、音楽プレーヤ、パーソナルコンピュータ、ラップトップコンピュータ、又はコンピュータ周辺装置などの電子デバイス、等）の後側に取り付けられてもよく、製品の背面及び側面を包むブラケットを含んでもよい。リテーナは、製品がディスプレイスタンド上に保持される際には視野から隠してもよい。そのような控えめな設計は、リテーナに起因して視覚的影響を潜在的に損なうことを最小化することで、製品の美的な魅力を増すことができる。これによって、潜在的な顧客の注意を、リテーナ構成又はディスプレイステム構成ではなく、製品に集中させることができる。ディスプレイステムは、リテーナの少なくとも一部分を受容するための凹部を含んでよく、これにより、その少なくとも一部分を視野から隠すことができる。リテーナは、１つ以上の所定の位置に凹部内で方向付けられ、そのような位置に割り付けることができる。例えばリテーナは、磁力（割り付けられた位置に対応する磁石、等）により、割り付けられた位置に方向付けることができる。
【００２１】
いくつかの実施形態では、リテーナは、ステムに移動可能に連結してもよい。例えばリテーナは、リテーナがステムに対して静止する着座位置、及び、リテーナが移動可能で、ステムから自由となる解放位置を有してもよい。いくつかの実施形態では、リテーナは、潜在的な購入者が、リテーナの上に固定された製品と共に、リテーナをステムから取り外すことができるよう、ステムから引き出すことができるあるケーブルの長さを提供し得る保持ケーブルに連結することができる。保持ケーブルは、ユーザが、リテーナに固定された製品を手に取り、扱うことができると同時に、製品の窃盗を防ぐことができる。リテーナは、製品をリテーナに固定するブラケットを含んでもよい。ブラケットは、単一の部品又は複数の部品として構成することができる。いくつかの実施形態では、ブラケットは、製品の周囲で互いに連結することにより、製品をリテーナに固定する２つの部品を含む。
【００２２】
小売業者はまた、潜在的な購入者がディスプレイモデルの操作を終えた後に、ディスプレイモデルが、そのディスプレイスタンド上で、その元の場所及び方向に戻され、小売業者が希望する場所及び方向で、次の潜在的な購入者に提示されることを希望することもある。これは、整然とした、美的に満足のゆく小売環境を提示し得る。本発明の実施形態は、ディスプレイスタンド上のその元の位置及び方向に、ディスプレイモデルを自動的に戻すことができる。例えば、ディスプレイモデルに連結されたリテーナに取り付けられた保持ケーブルは、ディスプレイモデルを扱っていた人がディスプレイモデルを離した際に、デバイスをそのディスプレイステム上に引くよう、引き込んでもよい。そして、いくつかの実施形態では、リテーナは、保持ケーブルの張力の下で、ディスプレイステムの凹部内に自動的に収まって、凹部（半球形状、等）のリム上に引っ掛からないような形状を有することができる。更に、いくつかの実施形態では、ディスプレイモデルをその元の場所及び方向に（又は、１つ以上の割り付けられた方向に）自動的に戻すよう、磁気素子などの、しかし、これに限定されない、１つ以上の整列機構を使用してもよい。例えば、リテーナの磁石素子は、凹部内のリテーナを、ディスプレイステムの磁石素子との磁気引力によって回転させることができ、これにより、割り付けられた場所（所定の希望する方向、等）のうちの１つに収まるまで、ステムに対して、ディスプレイモデルを自動的に回転させることができる。例えばリテーナは、リテーナが任意の希望する方向及び／又は任意の希望する数の方向に割り付けられる、整列機構を有してもよい。いくつかの実施形態では、リテーナは、次の４つの方向、すなわち、０°、９０°、１８０°、及び２７０°に割り付けられてもよい。そのような方向は、ディスプレイされたアイテムのディスプレイスクリーンに対する縦方向及び横方向に対応してもよく、これは、表示されたコンテンツが、割り付けられた位置の間で回転するにしたがい、表示されたコンテンツを、リテーナの対応するそれぞれの方向に方向付けてもよい。
【００２３】
リテーナは、リテーナに固定された製品への電力を提供することができる。いくつかの実施形態では、リテーナは、製品へ電力を提供する目的で、ディスプレイステム上に位置する、対応する電荷接点と電気的に通信するよう構成された電荷接点を含んでよい。いくつかの実施形態では、対応する電荷接点は、リテーナが、ディスプレイステム上に正しく収められている（ディスプレイステムの凹部内に所定の向きに完全に収められている、等）際にのみ、電気通信を行うことができる。いくつかの実施形態では、ディスプレイステム上のリテーナの正しい収容を促進するよう、したがって、対応する電荷接点間の電気通信を促進するよう、磁気素子などの、しかし、これに限定されない整列機構を使用してもよい。
【００２４】
これら及び他の実施形態について、図１〜図２５を参照して以下に説明する。しかしながら、これらの図に関して本明細書に説明する「発明を実施するための形態」は、説明を目的とするものに過ぎず、限定するものとして解釈するべきではないことが、当業者には容易に理解されるであろう。
【００２５】
図１に示すように、本発明の実施形態は、リテーナ３０と、サポートシステム５０と、を有する、製品２０を表示するためのディスプレイシステム１０を備える。製品２０は、販売のためにディスプレイされたアイテム（ディスプレイモデルとして、等）であり得る。サポートシステム５０は、リテーナに固定された製品２０を有するリテーナ３０を支持し得る。いくつかの実施形態では、サポートシステム５０は、テーブル、棚、壁、又は他の小売ディスプレイ構造である。サポートシステム５０は、本明細書に説明するサポートシステム３００と同じ又は類似とすることができる。ディスプレイシステム１０は、製品２０をディスプレイし、保持するよう使用することができ、リテーナ３０に固定された製品２０を、サポートシステム５０から取り外し可能にする（潜在的な購入者により扱われるよう、等）と同時に、製品２０を依然として保持するサポートシステム５０は、リテーナに固定された製品２０を有するリテーナ３０をディスプレイし、保持するためのディスプレイステム４０を含んでもよい。いくつかの実施形態では、ディスプレイステム４０は、本明細書に説明するディスプレイステム３０４と同じ又は類似であってもよい。いくつかの実施形態では、リテーナ３０は、本明細書に説明するリテーナ２００と同じ又は類似であってもよい。いくつかの場合では、製品２０は対話型であってよく、ディスプレイスクリーンを含んでもよい。潜在的な購入者は、製品２０をディスプレイステム４０から手に取り、またそこに戻すことができ、又は、ディスプレイステム４０上の製品２０を回転させ、ディスプレイステム４０上で支持されている間に、対話することができる。
【００２６】
容易にアクセス可能であり、回転可能であり、及び、戻すことが可能である方法で製品２０をディスプレイし、保持するために、リテーナ３０及びディスプレイステム４０は分離可能としてもよく、取り外し可能に互いに結合してもよい（ディスプレイステム４０の凹部とインターフェース接続するリテーナ３０のノード（リテーナの本体を形成する突起、等）により（又は、逆もまた同様、等））。例えばノードは、製品２０がディスプレイステム４０により支持されている間に、凹部内に受容されてもよい。ノードは、凹部内にて動くよう構成することができる。リテーナ３０及びディスプレイステム４０は、互いにインターフェース接続するよう構成されたさまざまな形状を有してもよい。いくつかの実施形態では、ノードの少なくとも一部分は、凹部の少なくとも一部分に一致するよう、サイズ化され、寸法化されている（形状を有している）。ノード及び凹部は、互いに陽／陰とすることができる。いくつかの実施形態では、凹部及びノードは、円筒形状、傾斜した円筒形状、卵形状、及び半球形状を含むが、これらに限定されない、対応する円形状を有してもよい。そのような円形状は、ディスプレイステム４０上の製品２０の回転、及び、ディスプレイステム４０上での製品２０の取り外し又は返還の容易化に役立つことができる。
【００２７】
ディスプレイの所望の方向、又は、多くの所望の方向のうちの１つに、製品２０を維持することを助けるために、いくつかの実施形態では、ディスプレイシステム１０は、整列機構を含む。この機構は、製品２０を、複数の割り付けられた位置のうちの１つに整列させる割り出し機構としてもよい。そのような割り出し機構は、ディスプレイされた製品２０を、ディスプレイステム４０に対して、割り付けられた方向のうちの１つに自動的に回転させることができる。いくつかの実施形態では、ディスプレイシステム１０の割り出し機構は、製品２０を、０°、９０°、１８０°、２７０°、のうちの１つに回転させ、製品２０のディスプレイスクリーンの通常の閲覧方向に一致するよう割り付けられている。例えば、いくつかのディスプレイスクリーンは、表示されたメディアの上下関係が正しく方向付けられるよう、それらの方向に応じて、９０度の増分にて自動回転することができる。ディスプレイシステム１０により保持された、そのような製品２０上に表示されたメディアは、したがって、縦モード又は横モードにて、上下関係が正しい方向に向けられる。その理由は、ディスプレイシステム１０は、製品２０を、縦方向又は横方向のうちの１つに自動回転し得るためである。
【００２８】
図２は、いくつかの実施形態に係る、製品１０２をディスプレイするためのディスプレイシステム１００を示す。ディスプレイシステム１００は、上述のディスプレイシステム１０に概略的に対応し得る。ディスプレイシステム１００は、リテーナ２００と、サポートシステム３００と、を含んでもよい。図２に示すように、サポートシステム３００は、リテーナに固定された製品１０２を有するリテーナ２００を支持することができる。ディスプレイシステム１００は、製品１０２をディスプレイし、保持するよう使用することができ、リテーナ２００に固定された製品１０２を、サポートシステム３００から取り外し可能にする購入者（潜在的なにより扱われるよう、等）と同時に、製品１０２を依然として保持する。図２に示すように、これは、リテーナ２００に取り付けられた保持ケーブル３２８を使用して実現することができる。保持ケーブル３２８は、以下に更に説明するように、リテーナ２００に固定された製品１０２が、サポートシステム３００上で元に戻された際に、サポートシステム３００内に（及び／又は、これを通して）引き込まれ得る。
【００２９】
図２に示すように、リテーナ２００は、リテーナ本体２０２と、製品１０２を保持するためのブラケット２３０と、を含む。リテーナ本体２０２は、下部領域２０４及び上部領域２２０（ベース領域２０４及びピーク領域２２０、等）を伴う外面２１８を有する。リテーナ本体２０２のベース領域２０４は、ブラケット２３０の下端面２３６と係合されている固定面２０６を含む。ピーク領域２２０は、ベース領域２０４から最も遠い、外面２１８の領域又はポイントである。いくつかの実施形態では、ピーク領域２２０は、固定面２０６の少なくとも一部分に直交する方向にベース領域２０４から最も遠く位置している。いくつかの実施形態では、少なくとも１つの第１の磁石２２８などの、少なくとも１つの第１の磁気素子は、リテーナ本体２０２に連結されている。いくつかの実施形態では、少なくとも１つの第１の磁石２２８は、外面２１８の一部分を形成する。いくつかの実施形態では、少なくとも１つの第１の磁石２２８は、リテーナ本体２０２内（リテーナ本体の空洞内、等）に埋め込まれている。保持ケーブル３２８は、リテーナ本体２０２に取り付ける（連結要素２２２を介して等、図５参照）ことができる。そして、保持ケーブル３２８は、接着剤（にかわ又はエポキシ、等）、ねじタイプの取り付け具、摩擦タイプの取り付け具、ルアーロック取り付け具、又は溶接を含むが、これらに限定されない、これらのうちの１つ以上を含む任意の好適な技術を使用して、リテーナ本体２０２に固定してもよい。いくつかの実施形態では、保持ケーブル３２８は、リテーナ本体２０２の中心軸に沿って、ピーク領域２２０において、又はこれに隣接して、リテーナ本体２０２に取り付く。いくつかの実施形態では、複数（２、３、又は４、等）の第１の磁石２２８は、保持ケーブル３２８のまわりに（リテーナ本体２０２の中心軸のまわりに、等）配設されている。いくつかの実施形態では、複数の第１の磁石２２８は、保持ケーブル３２８のまわりに、互いに等距離にある。
【００３０】
加えて、リテーナ本体２０２は、固定面２０６上にセキュリティスイッチ２１４を含んでもよい。セキュリティスイッチ２１４は、製品１０２がリテーナ２００に取り付けられているか否かを検出するよう使用してもよく、製品１０２がリテーナ２００から取り外されたことに応答して、アラームをトリガし得る。例えば、いくつかの実施形態では、製品１０２がリテーナ本体２０２に連結された際に、製品１０２は、セキュリティスイッチ２１４と連動（又は、連動の解除）する（製品１０２の背面１０４により、セキュリティスイッチ２１４のボタンを押す、等）ことができる。セキュリティスイッチ２１４は、警報が、リテーナ本体２０２からの製品１０２の取り外しによりトリガされ得るよう、アラーム又は他の警報に通信可能に連結してもよい。リテーナ本体２０２からの製品１０２のそのような取り外しは、セキュリティスイッチ２１４との連動を解除（又は、連動）し、これにより、警報をトリガすることができる。いくつかの実施形態では、リテーナ本体２０２は、製品１０２がリテーナ本体２０２から取り外されたことを、ユーザに警告するためのインジケータ２５６を含んでもよい（図１１及び図１３、等を参照）。インジケータ２５６は、光源（発光ダイオード（ＬＥＤ）、等）、及び／又は、ブザー若しくは呼出音などのオーディオインジケータを含んでよいが、これらに限定されない。いくつかの実施形態では、ディスプレイステム３０４が、代わりに又は加えて、インジケータ２５６を含んでもよい。いくつかの実施形態では、警報はまた、保持ケーブル３２８が切断された場合にもまたトリガしてもよい。
【００３１】
ブラケット２３０は、底面２３６と、上面２３２とを備える。いくつかの実施形態では、ブラケット２３０は、１つ以上のブラケットアーム２３８を含むことができる。製品１０２がリテーナ２００に固定された際に、製品１０２の背面１０４は、いくつかの実施形態では、固定面２０６及び上面２３２に置くことができ、ブラケットアーム２３８は、製品１０２をリテーナ２００に固定することを補助する。各ブラケットアーム２３８は、垂直サポート２４０及び水平サポート２４２を含む。
【００３２】
図２に示すように、サポートシステム３００は、サポート３０２及びディスプレイステム３０４を含む。サポート３０２は、例えば、建物又は家具一点の構造的特徴とすることができる。例えば、サポート３０２は、テーブル上面、カウンタ上面、棚、床、天井、又は壁とし得る。ディスプレイステム３０４の遠位端３０６は、サポート３０２に固定されている。いくつかの実施形態では、専用ツールを用いて、及び／又は、潜在的な購入者が不可能なアクセスによってのみ、並びに／若しくは、注意を引くような操作（ディスプレイテーブルの下からしかアクセスできないか、又は、非正規のツールのみでは取り外しできない締結具、等）によってのみ、サポートシステム３００を損傷しないで取り外しを果たすことができるような方法で、遠位端３０６は、サポート３０２に固定されている。
【００３３】
ディスプレイステム３０４は、任意の角度３３５、例えば、図２に示すように、９０°で、又は、図１に示すように、斜角３３５で、サポートから延在し得る。そのような斜角３３５は、例えば４５°、２０°、又は７°としてもよい。ディスプレイステム３０４は、遠位端３０６及びコネクタ３０８を介して、サポート３０２に接続することができる（例えば、図１０参照のこと）。ディスプレイステム３０４は、ステム壁３１０及び通路３１４により画定される中空構造であってもよい。いくつかの実施形態では、ディスプレイステム３０４は、円筒状又は円錐台形であってもよい。ディスプレイステム３０４の近位端３１２に位置する凹部３２０は、通路３１４の最上部を形成する。凹部３２０の遠位では、通路３１４は狭くすることができる（スロート領域３１５で、等）。スロート領域３１５は、凹部３２０から直接遠位にあってもよく、いくつかの実施形態では、ディスプレイステム３０４の上半分に位置する。いくつかの実施形態では、凹部３２０は、ディスプレイステム３０４の近位端３１２に取り付けられたインサート３１８により形成してもよい（図１５、等を参照のこと）。
【００３４】
凹部３２０は、リテーナ本体２０２を受容するよう構成された上部開口部３２１及び凹部３２０を通路３１４の残りに接続する底部開口部３２３を画定することができる。凹部３２０は、リテーナ本体２０２の少なくとも一部分を受容する形状を有し、これにより、リテーナ本体が凹部３２０内に受容された際に、リテーナ本体を視野から隠す内壁３２２を含む。いくつかの実施形態では、凹部３２０は、リテーナ本体２０２全体を受容する形状を有している。いくつかの実施形態では、少なくとも１つの第２の磁石３２６などの、少なくとも１つの第２の磁気素子を、ディスプレイステム３０４内の凹部３２０に隣接して配設してもよい。いくつかの実施形態では、少なくとも１つの第２の磁石３２６の表面は、内壁３２２の一部分を形成する。いくつかの実施形態では、複数（２、３、又は４、等）の第２の磁石３２６は、通路３１４のまわりに配設されている。いくつかの実施形態では、複数の第２の磁石３２６は、通路３１４を中心に、互いから等距離にある。第２の磁石３２６は、リテーナ本体２０２が、凹部３２０内に受容された際に、第１の磁石２２８と相互作用するよう配置してもよい。そのような相互作用を促進するため、凹部３２０及びリテーナ本体２０２は、それらが互いに係合された際に、それらの表面（及び、磁石）が緊密に接近しているような結合形状を有してもよい。例えば図１、図８、及び図１０に示すように、リテーナ本体２０２は、正の形状を有してもよく、凹部３２０は、陽の形状と共にはまり合う陰の形状を有してもよい。いくつかの実施形態では、陽の形状及び陰の形状は、陽の球形状及び陰の半球形状である。リテーナ本体２０２の第１の磁石２２８は、第１の磁石２２８が、磁石間の磁気引力により、ディスプレイステム３０４の第２の磁石３２６にできるだけ近くなるよう、リテーナ本体２０２を回転させることができる。第１の磁石２２８と第２の磁石３２６との間のこの相互作用は、リテーナが、ディスプレイステム３０４の凹部３２０内に受容された際に、リテーナ２００（及び、保持された製品１０２）を自動的に方向付けるよう機能する。
【００３５】
図１〜図２５は、凹部３２０を有するディスプレイステム３０４及び全体的に連続する凸型湾曲を有するリテーナ本体２０２を示すが、凹部３２０及びリテーナ本体２０２は、互いにインターフェース接続するよう構成されたさまざまな形状を有してもよい。例えばリテーナ本体２０２は、凹部３２０とインターフェース接続するノードを含んでもよい。ノードは、凹部３２０内で動くよう構成してもよい。いくつかの実施形態では、ノードの少なくとも一部分は、凹部３２０の少なくとも一部分に一致するよう、サイズ化され、寸法化されている（形状を有している）。ノード及び凹部３２０は、互いに陽／陰とすることができる。いくつかの実施形態では、凹部３２０は、リテーナ２００上に位置する凹部（リテーナ本体２０２内に形成された凹部、等）に一致するようサイズ化され、寸法化された（形状を有する）突起を含んでもよい。いくつかの実施形態では、凹部３２０は、リテーナ本体２０２内に形成された凹部に一致するよう、サイズ化され、寸法化された（形状を有する）突起と置き換えてもよい。凹部３２０及びリテーナ本体２０２は、任意の好適な、対応するサイズ及び形状を備えてもよい。いくつかの実施形態では、凹部３２０及びリテーナ本体２０２は、対応するテーパ形状を有してもよい。いくつかの実施形態では、凹部３２０及びリテーナ本体２０２は、円筒形状、傾斜した円筒形状、卵形状、及び半球形状を含むが、これらに限定されない、対応する円形形状を有してもよい。
【００３６】
いくつかの実施形態では、保持ケーブル３２８は、ディスプレイステム３０４の通路３１４を通して延在する。保持ケーブル３２８を通路３１４に通すことによって、ケーブルを視野から隠すことを助け、もつれ又は損傷の影響を受けないようにすることができる。保持ケーブル３２８の一端３２９は、リテーナ本体２０２に接続され、他端は、アンカー３３０に接続される。保持ケーブル３２８はまた、電源／データソース３３２に接続してもよい。電源／データソース３３２は、製品１０２がリテーナ２００に固定された際に、電力及び／又はデータを製品１０２に供給するよう構成されている。例えば、電力及び／又はデータは、リテーナ本体２０２を通して、製品１０２上の電力及び／又はデータポートに接続する補助ケーブル４０２（図４参照）に伝送してもよい。
【００３７】
アンカー３３０は、引き込み機構３３４（図２参照）を含むか、又は、この機構であってもよい。引き込み機構３３４は、保持ケーブル３２８に張力を加え、加えられた張力が、リテーナ２００上の別の力（保持された製品１０２を扱う人による、等）により打ち負かされない際に、リテーナ２００を引き込み機構３３４に向けて引くよう構成することができる。いくつかの実施形態では、引き込み機構３３４は、例えば、ケーブルを引き込むための、ばね付勢プーリ、カウンターウェイト、又は、任意の他の好適な手段を含んでもよい。引き込み機構３３４は、リテーナ本体２０２が、凹部３２０内に受容された際に、保持ケーブル３２８を介して、リテーナ２００をディスプレイステム３０４の近位端３１２に対して保持する（図９及び図１０等、を参照）。ユーザが製品１０２を取り上げると、この動作によって、引き込み機構３３４により加えられた張力に打ち勝つ十分な力を加えるので、保持ケーブル３２８を、通路３１４を通して引き出すことができるいくつかの実施形態では、引き出し可能なケーブル３２８の長さは制限されており、これにより、リテーナ２００及び保持された製品１０２がサポートシステム３００から取り出され得る距離を制限することができる。これによって、保持ケーブル３２８が、サポートシステム３００から完全に取り外されることを防止することができる。いくつかの実施形態では、引き出し可能なケーブル３２８の長さは、所定の長さに制限されている。このようにして、ディスプレイシステムは、さまざまなレベルのセキュリティを提供するよう使用することができる。
【００３８】
例えば、いくつかの実施形態では、引き出し可能な保持ケーブル３２８の所定の長さは、保持ケーブル３２８が、リテーナ２００を近位端３１２に対して保持するよう（リテーナ２００のリテーナ本体２０２を、ディスプレイステム３０４の凹部３２０から取り外すことができないように、等）、ゼロとすることができる。実際において、保持ケーブル３２８は、この構成において引き出すことができない。そのような構成によって、顧客は製品１０２を手に取ることができなくなるが、製品１０２は盗難されにくくなる。製品１０２をディスプレイステム３０４から取り外すことができない場合、潜在的な窃盗犯は、リテーナ２００及び／又はサポートシステム３００から製品１０２を取り外す手段を提供する、保持ケーブル３２８の繰り出された長さに依存する（ケーブルを自分の腕に巻き、突発的な力を加えることにより、等）ことができない。
【００３９】
別の実施形態では、引き出し可能な保持ケーブル３２８の所定の長さは、例えば、ユーザが引出し可能な保持ケーブル３２８の長さが最大６インチなどの、中間長さとすることができる。そのような長さとすることによって、顧客は製品１０２を手に取り、それを精査することができる。これによって、潜在的な窃盗犯が有する、製品１０２をリテーナ２００及び／又はサポートシステム３００から取り外す手段の量は、依然として制限される一方で、潜在的な購入者は、製品１０２を更に詳細に精査することができる。
【００４０】
別の実施形態では、引き出し可能な保持ケーブル３２８の所定の長さは、例えば１メートルなどの、長い長さであってもよい。そのような長さとすることによって、潜在的な顧客は、製品を試す際に最大の自由度を提供されるが、潜在的な窃盗犯は、短い長さ及び中間長さに比較して、豊富な手段を与えられる。
【００４１】
保持ケーブル３２８を保持するための短い所定の長さ、中間の所定の長さ、及び、長い所定の長さは、ディスプレイシステム１００が使用される状況に応じて、小売業者による用途に対して選択することができる。例えば、小売業者は、認められるセキュリティリスク、ディスプレイされる製品１０２（タブレットコンピュータは通常、腕の長さの距離で操作されるため、中間の長さで、あるいは、スマートフォンは通常、ユーザの頭の近くで操作されることが多いため、長い長さで、等）、又は、これらの組み合わせ、及び／若しくは、他の考慮すべき事項に応じて、異なる長さを選択して（低リスクに対して長く、中間リスクに対して中間に、及び、高リスクに対して短く、等）もよい。任意のそれらの場合、又は他の場合については、引き出し可能な保持ケーブル３２８の所定の長さを単に変えることで適応することができる。したがって、ディスプレイシステム１００は、小売業者の広範な、異なる製品及びセキュリティリスクにわたる、単一のディスプレイソリューションを提供することができる。
【００４２】
一実施形態に係るディスプレイステム３０４の斜視図を図３に示す。近位端３１２に位置する３２０は、スロート領域３１５に至る開口部を伴う半球形状を有する内壁３２２を備える凹部。内壁３２２が、半球形状を有して図３に示される一方で、凹部３２０は、他の実施形態では、楕円形状、円錐形状、卵形状、又は円筒形状を含むが、これらに限定されない、異なる形状を有してもよい。いくつかの実施形態では、凹部３２０の形状は、リテーナ本体２０２の外面２１８の形状に一致する。いくつかの実施形態では、凹部３２０の形状の大部分は、外面２１８の形状に正確に一致する。いくつかの実施形態の凹部３２０とリテーナ本体２０２とが半球形状で対応することの助けによって、リテーナ２００は、ディスプレイステム３０４上を自由に回転することができる。この自由な回転は、整列機構（説明するような磁石、等）が、リテーナ本体２０２と、凹部３２０との合わせ面からの干渉が最小限度の状態で、リテーナ２００を割り付けられた場所へ回転させるのに役立つことができる。全体的に滑らかな曲線であるため、リテーナ本体２０２の半球形状の助けによってまた、リテーナ本体は、凹部３２０に向かって（引き込み機構３３４により、等）引かれ、この中に入るときに、ディスプレイステム３０４の端部に引っ掛かる潜在性を最小化することができる。
【００４３】
図３に示すように、内壁３２２は、複数の第２の磁石３２６を備える。第２の磁石３２６は、ディスプレイステム３０４の空洞３２４内に配設されており（図７及び図８を参照）、内壁３２２の一部分を画定する。第２の磁石３２６は代わりに、内壁３２２の下に配設してもよい。
【００４４】
図３はまた、円形状の断面を有する通路３１４を示す。他の実施形態では、通路３１４は、楕円又は多角形を含むが、これらに限定されない、異なる断面形状を有してもよい。いくつかの実施形態では、ディスプレイステム壁３１０は、単一のモノリシック部品である（図２、図８、及び図１０、等を参照）。いくつかの実施形態では、ディスプレイステム壁３１０はアルミニウム製である。いくつかの実施形態では、ディスプレイステム壁３１０の表面は、ブラスト処理（サンドブラスト処理、等）及び陽極酸化処理を用いて仕上げられている。
【００４５】
一実施形態に係るリテーナ本体２０２を図４及び図５に示す。図４は、一実施形態に係る、固定面２０６を含むベース領域２０４を示す。固定面２０６は、凹領域２１０及び凸領域２１１を有し、ブラケット２３０の一部分を共に受容し、ブラケット２３０を、リテーナ本体２０２に、回転しないように固定する（図９参照）。固定面２０６は、リテーナ本体２０２を、ブラケット２３０に固定する締結機構（ねじ、ボルト、ピン、リベット、戻り止め、等）を受容するよう構成された１つ以上の穴２１２を画定することができる。穴２１２は、ねじ状であっても、ねじ状でなくともよい。代わりに又は加えて、リテーナ本体２０２は、例えば、接着剤又は溶接などの、他の締結機構を使用して、ブラケット２３０に固定してもよい。
【００４６】
いくつかの実施形態では、固定面２０６は、ケーブルアクセス２０８を備えてもよい。それは、補助ケーブル４０２に対するアクセスを提供することができ、データ／電力ケーブル又は他の接続機構であってもよく、製品１０２上のポートに接続し、データ及び／又は電力を製品１０２に提供することができる。いくつかの実施形態では、データ及び／又は電力は、保持ケーブル３２８を通して、ケーブルアクセス２０８に提供することができる（図２参照）。このケーブルアクセスは、そのようなデータ及び／又は電力を電源／データソース３３２から受容することができる。ケーブルアクセス２０８は、それを通して電力／データケーブルが通り得る、ケーブルパススルーであってよく、又は、データ／電力ケーブルプラグを、補助ケーブル４０２、等から受容するよう構成されたアウトレットであってもよい。リテーナ本体２０２の内部は、電力及び／又はデータを補助ケーブル４０２に伝送するための回路及び／又は電子素子を含んでもよい。このようにして、製品１０２は、補助ケーブル４０２に接続されていることにより、電力及び／又はデータを受容することができ、電子デバイスの場合は、潜在的な購入者によるその操作及び試用を促進することができる。いくつかの実施形態では、リテーナ本体２０２は、単一のモノリシック部品である。いくつかの実施形態では、リテーナ本体２０２は、（図１２を参照して以下に説明するように、等）複数の部品を含んでもよい。
【００４７】
例えば、ユニバーサルシリアルバス（ＵＳＢ）、マイクロＵＳＢ、ミニＵＳＢ、アドバンスドテクノロジーアタッチメント（ＡＴＡ）（パラレルＡＴＡ、シリアルＡＴＡ、等）、又は任意の他の標準又は専用の接続フォーマットなどの、任意の好適なアウトレット及びプラグの組み合わせを、補助ケーブル４０２のいずれの端部でも使用することができ、ケーブルアクセス２０８を通して、製品１０２に電力及び／又はデータ送信を提供する。いくつかの実施形態では、ケーブルアクセス２０８は、保持ケーブル３２８内を通る、又は、それ自体が保持ケーブルを形成するケーブル（データ及び／又は電力ケーブル、等）に連結することができる。
【００４８】
いくつかの実施形態では、固定面２０６は、セキュリティスイッチ２１４を備える。セキュリティスイッチ２１４は、警報が、リテーナ２００からの製品１０２の取り外しによりトリガされ得るよう、アラーム又は他の警報に通信可能に連結してもよい。リテーナ２００から製品１０２をそのように取り外すことによって、セキュリティスイッチ２１４の係合を解除（又は係合）し、これにより、警報をトリガすることができる。
【００４９】
図５は、一実施形態に係るリテーナ本体２０２の下側２１６の斜視図を示す。下側２１６は、実質的に滑らかな曲線状の外面２１８により画定される。いくつかの実施形態では、下側２１６は、穴２１２へのアクセスを提供する少なくとも１つのスロット２２４を備える。いくつかの実施形態では、下側２１６は、保持ケーブル３２８の近位部に接続するための、連結要素２２２を形成する開口部を画定する。連結要素２２２は、図２を参照して上述したように、保持ケーブル３２８の一端部３２９を受容し、リテーナ本体２０２に固定するよう構成してもよい。いくつかの実施形態では、下側２１６は、第１の磁石２２８を受容するための、連結要素２２２のまわりに配設された空洞２２６を画定する。いくつかの実施形態では、第１の磁石２２８が、空洞２２６内に存在する際に、それらの外面は、外面２１８の一部分に整列している。いくつかの実施形態では、第１の磁石２２８は、代わりに、外面２１８の下に配設してもよい（リテーナ本体２０２内に埋め込まれている、等）。
【００５０】
いくつかの実施形態では、リテーナ本体２０２の下側２１６は、実質的に滑らかな曲線状の外面２１８により画定された実質的に滑らかな形状を有する。言い換えると、いくつかの実施形態では、外面２１８は、連続する湾曲を画定し、ここでは、中断は、上述するように、磁石又は締結要素を収容する凹部又は開口部のみによる（第１の磁石２２８、スロット２２４、及び連結要素２２２、等）。いくつかの実施形態では、外面２１８の連続する湾曲は、一方向のみに曲がる（すなわち、異なる屈曲の方向を伴う曲線を有しない）。例えば、図５に示すように、下側２１６は、半球である（すなわち、半球状の外面２１８を有する）。いくつかの実施形態では、外面２１８は、ピーク領域２２０からベース領域２０４に延在し、完全に滑らかで、表面形状からの中断を含まない部分を含む（図５内の経路２１９、等を参照）。いくつかの実施形態では、外面２１８の少なくとも一部分は、ピーク領域２２０からベース領域２０４に延在する、連続する、ゼロでない勾配を有する（図５内の経路２１９、等を参照）。いくつかの実施形態では、外面２１８は、ピーク領域２２０からベース領域２０４に延在する、連続して増加する勾配を有する（図５内の経路２１９、等を参照）。いくつかの実施形態では、外面２１８は、ピーク領域２２０からベース領域２０４に延在する、一定の湾曲を伴う勾配を有する（図５内の経路２１９、等を参照）。いくつかの実施形態では、下側２１６は、例えば、楕円又は円錐台形状などの半球以外の形状を有してもよい。
【００５１】
図５に示すように、ピーク領域２２０は、固定面２０６の少なくとも一部分に直交する方向にて、ベース領域２０４から最も遠い、外面２１８上のポイント又は領域である。例えば、図５では、ピーク領域２２０は、連結要素２２２のまわりの周辺部である。ベース領域２０４は、ブラケット２３０に直近に隣接している。
【００５２】
外面２１８の形状によって、製品１０２がユーザにより取り上げられた際に、リテーナ本体２０２は、凹部３２０から容易に滑り出ることができ、ユーザがリテーナ２００をディスプレイステム３０４上に置いた際に、又は、保持ケーブル３２８が引き込み機構３３４により引き込まれた際に、凹部３２０内に容易に滑り込むことができる。滑らかな曲線状の外面２１８によって、摩擦、及び、リテーナ本体２０２のディスプレイステム３０４のリム３０７に引っ掛かる（したがって、凹部３２０内に正しく収まらない）潜在性が減少する。これによってまた、リテーナ２００及びディスプレイステム３０４が係合又は係合解除する際に、リテーナ２００及びディスプレイステム３０４の損傷する潜在性が減少し得る。更に、リテーナ本体２０２が、その方向を問わず、常に凹部３２０内に適合することが確実になる。
【００５３】
引き込み機構３３４が保持ケーブル３２８に加える張力に打ち勝つ外力がない場合に、（保持された製品１０２を、扱う人が離した際に、等）、リテーナ２００及び保持された製品１０２を、ディスプレイステム３０４に向けて引く、引き込み機構３３４との組み合わせにおいて、外面２１８の形状は、製品１０２を扱う人による外的な相互作用を必要とすることなく、所定の位置で繰り返しディスプレイされる目的で、製品１０２それ自体が、保持ケーブル３２８の張力の下で、凹部３２０内に自動的に再度収まることを確実にする。外面２１８の半球形状は、引き込み機構３３４により提供される張力の力の下で、中断なく、その側面が、リム３０７上を滑るよう、その側面のまわりにその突起又は角が少なくとも部分的にないことにより、それらの目的達成には適切である。半球状の外面２１８はこれにより、凹部３２０内に完全に引くことができ、これにより、それ自体を再度収容し、それ自体を視野から隠すことができる。
【００５４】
更に、いくつかの実施形態では、本明細書の各所で説明するように、凹部３２０内に収められることは、第１の磁石２２８と、第２の磁石３２６と、を、十分に近づけ、それらが磁気によって互いに相互作用することができ、双方が、リテーナ本体２０２を凹部３２０内に保持し、リテーナ２００と、保持された製品１０２とをディスプレイステム３０４に対して回転し、保持された製品１０２が、所定の位置に方向付けられるようにする。外面２１８の半球形状は、その側面のまわりに、その突起又は角が少なくとも部分的にないことにより、これらの目的達成に適切であり、これによって、その側面は凹部３２０内で回転することができる。
【００５５】
一実施形態に係るブラケット２３０を図６に示す。いくつかの実施形態では、ブラケット２３０は、中央部分２３３と、２つのブラケットアーム２３８と、を備える。ブラケットアーム２３８は、保持された製品１０２の対向側面へ向かって、そのまわりに延在し、これにより、製品をリテーナ２００に固定し、そこからのその取り外しを防止する。図６は２つのブラケットアーム２３８を示すが、いくつかの実施形態では、ブラケット２３０は、任意の数のブラケットアーム、例えば４つのブラケットアームを含んでもよい。
【００５６】
ブラケットアーム２３８は、保持された製品１０２の前面にわたる（製品１０２をしっかりと保持するのにちょうどよい、等）短い距離のみに延在し、中央に位置し、製品１０２の長さのごく一部を占める個別の位置に制限されるため、これらは、ディスプレイスクリーン又は製品１０２の他の操作機構を覆うことなく製品１０２を保持することができる。これによって、視覚的影響が最小限の状態で、製品１０２を潜在的な購入者に提示することにより、潜在的な購入者が、ディスプレイシステム１００からできるだけ邪魔されずに、製品１０２を精査することができる。いくつかの実施形態では、ブラケットアーム２３８は、代わりに又は加えて、例えばねじ、スナップ、リベット、バックル、戻り止め、ボルト、圧入、又は接着剤（にかわ、エポキシ、接着テープ、等）などの、他の固定要素を含み、製品１０２をリテーナ２００に連結することができる。
【００５７】
いくつかの実施形態では、中央部分２３３は、リテーナ本体２０２上の固定面２０６と嵌合することができる中央開口部２３４を画定する。例えば、凸領域２１１の周辺部は、ブラケット２３０がリテーナ本体２０２と嵌合する際に、凸領域２１１が中央開口部２３４を占めるよう、中央開口部２３４の周辺部に一致してもよい。
【００５８】
いくつかの実施形態では、中央部分２３３はまた、リテーナ本体２０２の穴２１２と一直線になるよう構成された穴２４４を画定する。いくつかの実施形態では、中央部分２３３はまた、補助ケーブル４０２を受容し、これが、中央開口部２３４の中から外へ通過することができる、ケーブルアクセス２０８と整列するよう構成された、ケーブル開口２４６を備える。いくつかの実施形態では、ブラケット２３０は、単一の部品から形成されている（図６、等を参照）。例えばブラケット２３０は、その最終形状に加工される単一の押し出し部品から形成してもよい。
【００５９】
いくつかの実施形態では、ブラケット２３０は、２つの部品から形成されている（図１７〜図１９に関して以下に説明するような第１の部品２９０及び第２の部品２９４、等）。２部品のブラケット２３０は、リテーナ２００のモジュール性を向上することができる。例えば、部品２９０及び部品２９４は、それらのうちの１つが損傷した場合に、個々に交換してもよい。更に、２部品ブラケット２３０は、リテーナ２００の組み立て、及び、製品１０２のリテーナ２００への取り付けを更に容易にすることができる。その理由は、この部品が、製品１０２をブラケット２３０の部分の間に受容する等、互いに対して動き得るからである。
【００６０】
いくつかの実施形態では、ブラケット２３０は、約３ｍｍの厚さを有し、これによって、製品１０２を確実に保持するための十分な強度を依然として提供する一方で、視覚的影響が最小限度となる。しかし、他の実施形態では、ブラケット２３０は、より厚く、又は、より薄くしてもよい。いくつかの実施形態では、ブラケット２３０は、アルミニウム製、例えば６０６３アルミニウム合金製である。いくつかの実施形態では、ブラケット２３０の表面は、ブラスト処理（サンドブラスト処理、等）及び陽極酸化処理を用いて仕上げられている。
【００６１】
いくつかの実施形態では、固定要素４０６（図７及び図８を参照）は、リテーナ本体２０２上の固定面２０６上に配設され、製品１０２のリテーナ２００上での保持に寄与することができる。固定要素４０６は、製品１０２と接触するために、凸領域２１１上に配設してもよい。例えば、固定要素４０６は、例えば、にかわ、エポキシ、又は接着テープ（二重被膜型アクリルフォームテープ、等）などの接着剤であってもよい。いくつかの実施形態では、固定要素４０６は、代わりに又は加えて、例えば、ねじ、スナップ、リベット、バックル、戻り止め、ボルト、又は圧入などの機械的締結具であってもよい。
【００６２】
リテーナ本体２０２とブラケット２３０との間の係合、並びに、ディスプレイシステム１００の動作を、図７〜図１０を参照して更に説明する。リテーナ本体２０２上に凹領域２１０及び凸領域２１１を有する固定面２０６は、固定面２０６の一部が中央部分２３３内に延在するよう、ブラケット２３０の中央部分２３３と嵌合する（図９を参照）。固定面２０６と中央部分２３３との間の嵌合構成は、円形形状を画定しないので、リテーナ本体２０２及びブラケット２３０が互いに対して回転できないことを確実にし、これにより、リテーナ２００の強度が増し、ディスプレイステム３０４に対する方向の繰り返し性が確実となる。更に、この嵌合は、リテーナ本体２０２及びブラケット２３０上のそれぞれの穴２１２及び穴２４４が整列することを確実にし、穴２１２及び穴２４４を占める締結具４０４にせん断応力が掛かることを防止する。
【００６３】
締結具４０４（ねじ、ボルト、ピン、リベット等、図７参照）は、整列された穴２１２及び穴２４４内に挿入され、リテーナ本体２０２をブラケット２３０に固定する。いくつかの実施形態では、穴２１２及び穴２４４は、（リテーナ本体２０２の中心軸に一致することになる）リテーナ２００の回転軸５０２に並列する方向に方向付けられる。リテーナ２００の回転軸５０２は、固定面２０６に直交する方向で、リテーナ本体２０２の中心を通って延在する軸である（図８を参照）。この方向によって、窃盗犯が製品１０２をリテーナ２００から引っ張ろうと試みた場合に、締結具４０４上にせん断応力が掛からないため、リテーナ本体２０２とブラケット２３０との間の接続に最適な強度が提供され、したがって、締結具４０４が故障する機会が減少する。いくつかの実施形態では、締結具４０４は、それらがリテーナ本体２０２から脱落できず、ユーザ（小売店舗の所有者、等）により取り外すことができないよう、リテーナ本体２０２内に保持してもよい。
【００６４】
本明細書の各所で説明するように、いくつかの実施形態では、保持ケーブル３２８及び磁石２２８並びに磁石３２６は、ディスプレイステム３０４の近位端３１２上のリテーナ２００を保持するよう使用することができる。リテーナ２００が近位端３１２上に置かれた、又は、引き込み機構３３４により、近位端３１２上に引き込まれた際には、リテーナ本体２０２は、凹部３２０内に適合し、第１の磁石２２８と第２の磁石３２６との間の磁力によって、テーナ本体２０２が、凹部３２０内で自動的に方向付けられる。第１の磁石２２８、第２の磁石３２６、引き込み機構３３４及び保持ケーブル３２８、外面２１８、並びに凹部３２０、との間の相互作用によって、製品１０２は常にその所定の位置及び方向に戻され、ディスプレイされることが確実になり、その助けによって、小売業者は美的に引き立つ位置でそのディスプレイを確実にすることができる。
【００６５】
磁気引力を、（リテーナ本体２０２を凹部３２０内に引き、保持することを助ける）軸５０２に沿う軸方向と、（リテーナ２００がディスプレイステム３０４に対して回転することを助ける）軸５０２に直交する方向と、の双方に適用するために、磁石２２８及び磁石３２６は、それらの引力が、少なくともある分力は軸５０２に並列に加わり、ある分力は軸５０２に直交して加わるよう、それらの磁場が軸５０２に対して傾斜して向けられるよう方向付けてもよい。更に、第１の磁石２２８は、それらが、軸５０２に対して第２の磁石３２６から傾斜した方向に配設されるよう、配置してもよい。いくつかの実施形態では、この斜め方向は、斜め方向を通る線（図８内の線５０４、等）が軸５０２と交差するように方向付けられている。
【００６６】
実質的に滑らかな外面２１８は、リテーナ本体が、引き込み機構３３４により保持ケーブル３２８を通して適用された張力の下で、凹部３２０内に常に滑り入ることができる、すなわち、自己配置することを確実にし、これにより、製品１０２が、（潜在的な購入者に向かう、等）希望する位置で常にディスプレイされ、好ましくない位置、又は、ぶら下がった位置でディスプレイされないことを確実にする。いくつかの実施形態では、リテーナ本体２０２のサイズ及び形状は、凹部３２０がリテーナ本体２０２全体を受容するようなものである（図１０を参照）。この結果、控えめな外観ながら、潜在的な顧客に対して、より美的に引き立つことができる。しかし、いくつかの実施形態では、凹部３２０は、リテーナ本体２０２の一部分しか受容しない。
【００６７】
リテーナ本体２０２が一度凹部３２０内に滑り入ると、第１の磁石２２８及び第２の磁石３２６は、リテーナ２００を希望する位置に自動的に方向付けるよう機能する。例えば、ディスプレイシステム１００は、４つの第１の磁石２２８と、４つの第２の磁石３２６と、を用いることができ、これは、それぞれ９０°毎に分離された、４つの位置のうちの１つに方向付けるようリテーナ２００を自動的に回転させる（０°、９０°、１８０°、２７０°での方向付けを増進する、等）。そのような構成は、製品１０２が垂直方向又は水平方向に常に戻ることを確実にし、これによって、潜在的な購入者に対して、より美的に引き立つことができる。例えば、図２６は、０°、９０°、１８０°、及び２７０°に方向付けられた製品１０２（それぞれ、製品１０２Ａ、製品１０２Ｂ、製品１０２Ｃ、製品１０２Ｄ）を示す。
【００６８】
任意の引き出し可能なケーブル３２８の長さを有する、又はこれを有しない実施形態について、実質的に滑らかな外面２１８及び磁石２２８並びに磁石３２６によって、所定の希望する回転位置間で、製品１０２は滑らかに回転することができる。中間の又は長い、引き出し可能なケーブル３２８の長さを有する実施形態では、これらの特徴によって、製品１０２は、ディスプレイステム３０４に戻されると、所定の希望する回転位置に常に戻ることが確実となる。例えば、ユーザが製品１０２を落としたり離したりした際に、引き込み機構３３４が保持ケーブル３２８を引き込み、これにより、リテーナ本体２０２を凹部３２０内に引く。凹部３２０内に一度入ると、磁石２２８及び磁石３２６は、リテーナ本体２０２及び保持された製品１０２を、希望する位置内に自動的に方向付ける。
【００６９】
上述の実施例は、４つの第１の磁石と、４つの第２の磁石と、を説明する一方で、任意の数の磁石を使用して、凹部３２０内のリテーナ本体２０２を任意の希望する角度（即ち、回転方向）で自動的に方向付けてもよく、第１の磁石２２８の数は、第２の磁石３２６の数と同じである必要はない。リテーナ本体２０２の方向（単数又は複数）は、第１の磁石２２８及び第２の磁石３２６の場所及び位置に基づくことができる。いくつかの実施形態では、方向は、少なくとも９０度の回転毎に放射状に分離されている。いくつかの実施形態では、方向は、９０度の回転毎に放射状に分離されている。
【００７０】
本明細書に説明する磁石（磁石２２８及び磁石３２６、等）は、ネオジム磁石などのレアアース磁石、又は電磁石を含んでよいが、これらに限定されない。本明細書に説明する磁石（磁石２２８及び磁石３２６、等）は、磁石を吸引する材料（強磁性材料又はフェリ磁性材料、等）に置き換えてもよい。例えば、２つの磁石間の磁気引力が上述されているが、これらの一対の磁石のうちのいずれかは、磁気吸引材料に置き換えてもよく、磁気引力は依然としてそれらの間に存在する。いくつかの実施形態では、第１の磁石及び第２の磁石は、円筒状の形状であって、その円筒は、３ｍｍ〜３．５ｍｍの範囲内の直径と、２．５ｍｍ〜３．５ｍｍの範囲内の長さと、を有してもよい。いくつかの実施形態では、図２０〜図２３を参照して以下に説明するように、リテーナ本体２０２は、４つの第１の磁石２２８を含んでもよく、凹部３２０は、８つの第２の磁石３２６を含んでもよい。
【００７１】
本明細書に説明する磁石（磁石２２８及び磁石３２６、等）が電磁石である実施形態では、そのような電磁石は、断続的に作動することができる（リテーナ２００の回転を保持し、及び／又は、引き起こすよう使用される際にのみ、等）。例えば、電磁マグネット２２８及び３２６は、リテーナ本体２０２が凹部３２０内に受容された際にのみ作動することができる。いくつかの実施形態では、電磁マグネット２２８及び３２６は、リテーナ２００が、割り付けられた場所のうちの１つに回転させるのに十分な長い時間の間のみ作動する。これは、エネルギーを節約する助けとなり得る。リテーナ２００の位置は、ディスプレイシステム１００のセンサによって、又は、ディスプレイされた製品１０２のセンサによって（近接センサ又は光センサ、加速度計、等）、決定することができる。
【００７２】
いくつかの実施形態では、リテーナ本体２０２が凹部３２０内に受容された際に、第１の磁石２２８及び第２の磁石３２６を通して、それらの接触、又は緊密な接近により、製品１０２に電力を供給することができる。いくつかの実施形態では、リテーナ本体２０２内の回路及び／又は電子素子が、磁石２２８及び磁石３２６を介して製品１０２の誘導（「ワイヤレス」）充電を促進することができる。そのような場合、及び、製品１０２にデータが供給される必要がない場合には、補助ケーブル４０２を使用しなくてもよい。
【００７３】
いくつかの実施形態では、リテーナ２００上に位置する電荷接点、及び、凹部３２０内に位置する電荷接点を介して、製品１０２に電力を供給してもよい。そのような実施形態では、リテーナ本体２０２は、ディスプレイステム３０４から凹部３２０内の電荷接点を介して電力を受容するための、同様に、補助ケーブル４０２へリテーナ本体２０２上に位置する電荷接点を介して電力を供給するための回路及び／又は電子デバイスを含むことができる。そのような実施形態では、保持ケーブル３２８は、ディスプレイシステム１００に電力を提供しなくてもよい。保持ケーブル３２８ではなく、ディスプレイステム３０４を介して電力を供給することは、さまざまな利点を有し得る。第１に、顧客は、リテーナ２００に固定された製品１０２を精査する際に、通電している保持ケーブル３２８を扱わなくてもよい。第２に、保持ケーブル３２８及び／又は引き込み機構３３０の技術を簡略化することができる。第３に、保持ケーブル３２８内の電力損失を回避することができる。特に、保持ケーブル３２８内の電力が時間と共に（即ち、保持ケーブル３２８に関連付けられたワイヤ及び電子素子における摩耗及び裂傷により）減少する場合のある、顧客の、製品１０２との対話を回避することができる。
【００７４】
図１１〜図１４は、いくつかの実施形態に係る、電荷接点リング２５０及び電荷接点リング２５２を有するリテーナ本体２０２を示す。電荷接点リング２５０及び２５２は、反対の電荷（即ち、正電荷及び負電荷）を保持してよい。電荷接点リング２５０は負電荷接点リングであってよく、電荷接点リング２５２は正電荷接点リングであってよく、逆もまた同様である。本明細書に説明する目的で、電荷接点リング２５０は負電荷接点リング２５０と呼び、電荷接点リング２５２は正電荷接点リング２５２と呼ぶ。いくつかの実施形態では、リテーナ本体２０２は、負電荷接点リング２５０及び正電荷接点リング２５２を電気的に絶縁するために、ポリマ又はセラミックなどの、絶縁材料で製作してもよい。いくつかの実施形態では、リテーナ本体２０２は、２つのリングを電気的に絶縁するよう、外面２１８上の負充電接点リング２５０及び正充電接点リング２５２の周辺部に沿って位置する絶縁材料を有してもよい（リテーナ本体２０２が導電材料製であり得る実施形態において、等）。
【００７５】
例えば、図１１に示すように、いくつかの実施形態では、負充電接点リング２５０及び正充電接点リング２５２は、リテーナ本体２０２の外面２１８に配設されてもよく、いくつかの実施形態では、充電接点リング２５０及び充電接点リング２５２は、外面２１８の一部分を形成してもよい。いくつかの実施形態では、充電接点リング２５０及び充電接点リング２５２は、リテーナ本体２０２の外面２１８のまわりに延在する、連続するリングとすることができる。いくつかの実施形態では、充電接点リング２５０及び充電接点リング２５２は、リテーナ本体２０２の外面２１８のまわりに延在する同心円状のリングである。いくつかの実施形態では、充電接点リング２５０及び充電接点リング２５２は、個別のセグメントとの間に位置する隙間２５１を有する連続しないリングであってもよい。隙間２５１は、絶縁材料により形成してもよい。例えば、隙間２５１は、全体的に若しくは部分的に、空の空間により、外面２１８、又は、リテーナ本体２０２の他の部分により形成されてもよく、及び／又は、絶縁材料が満たされた空洞であってもよい。
【００７６】
図１１はまた、製品１０２の取り外しにより、セキュリティスイッチ２１４が係合解除された（又は、係合された）こと、及び／又は、保持ケーブル３２８が切断されたことを示す、インジケータ２５６を有するリテーナ本体２０２を示す。図１１はまた、保持ケーブル３２８の端部３２９を連結要素２２２から解放するための、取り外し開口２５４を有するリテーナ本体２０２を示す。いくつかの実施形態では、リテーナ本体２０２は、連結要素２２２のまわりに放射状に配設された２つの取り外し開口２５４を含むことができる。いくつかの実施形態では、リテーナ本体２０２は、２つより多い取り外し開口２５４を含んでもよい。図２４及び図２５を参照して以下に説明するように、保持ケーブル３２８を解放するツール５００を使用してもよい。
【００７７】
図１２に示すように、いくつかの実施形態では、リテーナ本体２０２は、カップ２６０と、キャップ２６２と、を含む複数部品構造を含んでもよい。カップ２６０は、例えば、締結具２６４を使用して、キャップ２６２に取り付けてもよい。いくつかの実施形態では、締結具２６４はねじとすることができる。代わりに又は加えて、カップ２６０は、接着剤又は溶接を使用して、キャップ２６２に取り付けてもよい。複数部品のリテーナ本体２０２によって、リテーナ２００の組み立て及び構成の可能性と、リテーナ本体２０２の内部構成要素（電荷接点２５０及び電荷接点２５２又はケーブルアクセス２０８に関連付けられた回路、等）の修理及び／又は交換と、を容易にすることができる。
【００７８】
いくつかの実施形態では、リテーナ本体２０２は、ケーブルアクセス２０８に取り付けられた補助ケーブル４０２の少なくとも一部分を受容するための、外面２１８からセットされるプラグの凹部２７０を備えてもよい。プラグの凹部２７０は、補助ケーブル４０２のプラグ４０８上に位置するプラグフランジ４１０を受容するようサイズ化され、受容する形状を有する側壁２７２を含んでもよい（図１８及び図１９、等を参照。
【００７９】
図１３は、垂直距離２８０により分離された、負充電接点リング２５０と、正充電接点リング２５２と、を有するリテーナ本体２０２の側面図を示す。垂直距離２８０は、リテーナ本体２０２のサイズ及び形状に基づくことができる。いくつかの実施形態では、垂直距離２８０は、９ｍｍ〜１２ｍｍの範囲内にあってもよい。いくつかの実施形態では、垂直距離２８０は、１０．５ｍｍであってもよい。いくつかの実施形態では、垂直距離は、リテーナ本体２０２の全高２０５の３５％と６５％との間であってもよい。充電接点リング２５０及び２５２はまた、負充電接点リング２５０と、正充電接点リング２５２と、を分離する、外面２１８の部分の曲率半径に基づく半径方向距離２８１によっても分離されている。いくつかの実施形態では、リテーナ本体２０２は、３５ｍｍ〜４０ｍｍの範囲内の直径２０３を有してもよい。いくつかの実施形態では、直径２０３は、３７ｍｍであってもよい。いくつかの実施形態では、リテーナ本体２０２の全高２０５は、２０ｍｍ〜３０ｍｍの範囲内にあってもよい。いくつかの実施形態では、全高２０５は、２４．５ｍｍであってもよい。
【００８０】
それぞれが幅２８２及び幅２８４の、電荷接点リング２５０及び２５２の幅は、リテーナ本体２０２のサイズ及び形状に基づくことができる。いくつかの実施形態では、幅２８２及び幅２８４は、外面２１８に沿って測定した、１ｍｍ〜２ｍｍの範囲内であってもよい。いくつかの実施形態では、幅２８２及び幅２８４は、１．５ｍｍであってもよい。いくつかの実施形態では、幅２８２は、幅２８４と同じであってもよい。いくつかの実施形態では、幅２８２及び幅２８４は異なってもよい。充電接点リング２５０／２５２の幅２８２／幅２８４、及び、それらを分離する距離（それらを分離する垂直距離２８０及び半径方向距離２８１、等）は、負充電接点リング２５０及び正充電接点リング２５２が外面２１８上で互いに電気的に絶縁されている。いくつかの実施形態では、垂直距離２８０は、幅（単数又は複数）２８２／幅２８４の少なくとも５倍であってもよい。いくつかの実施形態では、垂直距離は、幅（単数又は複数）２８２／幅２８４の少なくとも１０倍であってもよい。
【００８１】
図１４は、ピーク領域２２０に直交する方向における、いくつかの実施形態に保持ケーブル係るリテーナ本体２０２の下面図、及び、連結要素２２２（即ち、固定面２０６に直交する方向）での３２８とリテーナ本体２０２との間の接続を示す。図１４に示すように、負電荷接点リング２５０及び正電荷接点リング２５２は、連結要素２２２のまわりに放射状に配設することができる。いくつかの実施形態では、負電荷接点リング２５０及び正電荷接点リング２５２は、垂直距離２８０及び半径方向距離２８１にそれぞれ対応する、一定の垂直距離及び半径方向距離により分離されている。
【００８２】
図１５及び図１６は、電荷接点リング２５０及び電荷接点リング２５２をそれぞれ電気的に連動するための、電荷接点３４０及び電荷接点３４２を有するディスプレイステム３０４を示す。電荷接点３４０及び電荷接点３４２は、反対の電荷（即ち、正電荷及び負電荷）を保持してもよい。電荷接点３４０は負電荷接点であってよく、電荷接点３４２は正電荷接点であってもよく、逆もまた同様である。本明細書に説明する目的上、電荷接点３４０は負電荷接点３４０と呼び、電荷接点３４２は正電荷接点３４２と呼ぶ。いくつかの実施形態では、凹部３２０は、負電荷接点３４０及び正電荷接点３４２を凹部３２０内で電気的に絶縁するために、ポリマ又はセラミックなどの、絶縁材料で作製してもよい。いくつかの実施形態では、凹部３２０は、それぞれの電荷接点を電気的に絶縁するよう、負電荷接点３４０及び正電荷接点３４２の周辺部に沿って位置する絶縁材料を有してもよい（内壁３２２が導電材料で作製されている実施形態において、等）。図１５及び図１６が２つの負電荷接点３４０及び２つの正電荷接点３４２を示す一方で、凹部３２０は、任意の数の負電荷接点及び正電荷接点を含んでよい（それぞれについて１つ、等）。
【００８３】
負充電接点３４０及び正充電接点３４２は、凹部３２０の内壁３２２上に配設してもよい。いくつかの実施形態では、電荷接点３４０及び電荷接点３４２は、内壁３２２の一部分を形成してもよい。いくつかの実施形態では、電荷接点３４０及び電荷接点３４２は、内壁３２２から突出してもよい。いくつかの実施形態では、電荷接点３４０及び電荷接点３４２は、ばね付勢としてもよい。ばね付勢の電荷接点３４０／電荷接点３４２によって、電荷接点リング２５０／２５２と電荷接点３４０／３４２との間の距離における小さな偏差が、電荷接点リング２５０／２５２と電荷接点３４０／３４２との間の電気的接触を妨害することに対する潜在性を最小にする。いくつかの実施形態では、電荷接点３４０及び３４２は、円形状の接触点であってもよい。いくつかの実施形態では、円形状の接触点の直径３４４は、幅（単数又は複数）２８２／幅２８４以下としてもよい。幅２８２並びに幅２８４、直径３４４、及び電荷接点２５０／２５２並びに電荷接点３４０／３４２は一般的に、電荷接点リング２５０／２５２と電荷接点３４０／３４２との間の良好な電気的接触を提供するよう、十分なサイズとするべきである。図１５及び図１６が円形状を有する電荷接点３４０／３４２を示す一方で、電荷接点３４０／３４２は、矩形状、長方形状、又は楕円形状を含むが、これらに限定されない、任意の形状を有してもよい。矩形の長方形の、又は楕円の電荷接点のサイズは、（即ち、電荷接点３４０／電荷接点３４２の電気的絶縁を維持する一方で、電荷接点リング２５０／２５２との良好な電気的接触を提供するように）円形状の電荷接点の直径３４４が選択された方法と同様の方法で選択してもよい。
【００８４】
図１５に示すように、正電荷接点３４２は、ディスプレイステム３０４の遠位端３０６に対して、負電荷接点３４０の上に配設することができる。正電荷接点３４２及び負電荷接点３４０は、垂直距離３４１（図１５内の矢印１６の方向で測定）により分離してもよい。垂直距離３４１は、凹部３２０のサイズ及び形状に基づくことができる。いくつかの実施形態では、垂直距離３４１は、リテーナ本体２０２が凹部３２０内に受容された際に、電荷接点リング２５０／２５２と電荷接点３４０／３４２との間の接触を助長するよう、垂直距離２８０に等しくしてもよい。正電荷接点３４２及び負電荷接点３４０はまた、電荷接点３４２及び電荷接点３４０を垂直に分離する内壁３２２の部分の曲率半径に基づく半径方向距離３４３により分離してもよい。いくつかの実施形態では、半径方向距離３４３は、電荷接点リング２５０／２５２と電荷接点３４０／３４２との間の接触を助長するよう、半径方向距離２８１と等しくすることができる。電荷接点３４０／３４２のサイズ、及び、それらを分離する距離（それらを分離する垂直距離３４１及び半径方向距離３４２、等）は、負電荷接点３４０及び正電荷接点３４２が内壁３２２上で電気的に絶縁されるようなものとするべきである。いくつかの実施形態では、電荷接点３４０／３４２は、電荷接点リング２５０／２５２と同じ又は類似の特徴を有する電荷接点リングとしてもよい。更に、いくつかの実施形態では、電荷接点リング２５０／２５２は、電荷接点３４０／３４２と同じ又は類似の特徴を有する電荷接点としてもよい。
【００８５】
図１６は、図１５内の矢印１６から見た、凹部３２０を示すディスプレイステム３０４の上面図を示す。図１６に示すように、電荷接点３４０及び３４２は、通路３１４のスロート領域３１５のまわりに放射状に配設してもよい。負電荷接点３４０は、第１の円形状の線３４６に沿って配設してもよく、正電荷接点３４２は、第２の円形状の線３４８に沿って配設してもよい。第１の円形状の線３４６及び第２の円形状の線３４８は、垂直距離３４１及び半径方向距離３４３にそれぞれ対応する、一定の垂直距離及び半径方向距離により分離してもよい。
【００８６】
電気的に通信している際に、負電荷接点リング２５０及び負電荷接点３４０は、負電荷（即ち、中立／グラウンド）を、補助ケーブル４０２に（リテーナ本体２０２内に配設された回路、等、を介して）供給することができる。そして、電気的に通信している際に、正電荷接点リング２５２及び正電荷接点３４２は、正電荷を、補助ケーブル４０２に（リテーナ本体２０２内に配設された回路、等、を介して）供給してもよい。負電荷接点２５０／負電荷接点３４０及び正電荷接点２５２／３４２の双方が電気的に通信している際に、補助ケーブル４０２を介して製品１０２に電力を供給することができる（製品１０２のバッテリを充電することができる、等）。いくつかの実施形態では、負電荷接点２５０／３４０及び正電荷接点２５２／３４２は、リテーナ本体２０２が凹部３２０内に完全に収まっている際にのみ、電気的に通信している。
【００８７】
一対の連続する電荷接点リング（電荷接点リング２５０及び２５２、等）を使用することによって、凹部３２０内のリテーナ本体２０２の回転方向に関わらず、それぞれの正電荷接点と、それぞれの負電荷接点との間の電気通信（即ち、０°と３６０°との間の任意の方向での連続する電気通信）は促進される。いくつかの実施形態では、リテーナ本体２０２上、及び、凹部３２０内に位置する、連続しない電荷接点（電荷接点３４０／３４２、及び／又は、隙間２５１を有する連続しない電荷接点リング、等）は、リテーナ本体２０２が、少なくとも１つの所定の回転方向（０°、９０°、１８０°、及び／又は２７０°、等）に方向付けられている際にのみ、それぞれの正電荷接点と、それぞれの負電荷接点との間の電気通信をもたらすことができる。いくつかの実施形態では、リテーナ本体２０２上、及び、凹部３２０内に位置する、連続しない電荷接点は、それぞれの所定の回転方向において、電気的に通信する。いくつかの実施形態では、リテーナ２００は、負電荷接点リング２５０及び正電荷接点リング２５２に沿って、磁石（第１の磁石２２８、等）を備えてもよい。リテーナ２００の磁石は、ディスプレイステム３０４上に位置する磁石（第２の磁石３２６、等）と磁気的に連動して、ディスプレイステム３０４上のリテーナ２００の適切な収容を促進し、したがって、負電荷接点２５０／３４０と正電荷接点２５２／３４２との間の電気通信を促進することができる。
【００８８】
いくつかの実施形態では、リテーナ本体２０２が凹部３２０内に完全に収まっていない場合に、リテーナ本体２０２が所定の方向にない場合に、及び／又は、製品１０２が、電力を受けていない場合に、警報を（インジケータ２５４を介して、等）作動することができる。いくつかの実施形態では、警報は、所定の時間（１０分、等）後にトリガしてもよい。この助けによって、製品１０２はディスプレイステム３０４上で垂直方向又は水平方向に正しく収まり、これによって、潜在的な購入者に対して、より美的に引き立つことをユーザ（小売店舗の所有者、等）は確実にすることができる。
【００８９】
図１５はまた、一実施形態に係る、ディスプレイステム３０４の近位端３１２に取り付けられたインサート３１８を示す。インサート３１８は、インサート３１８をステム壁３１０に取り付ける締結具３１１を受容するための固定具３１９を備えてもよい。図１５に示すように、インサート３１８は、通路３１４のスロート領域３１５を形成してもよい。取り外し可能なインサート３１８は、ディスプレイシステム１００の構成要素（電荷接点３４０及び３４２に関連付けられた回路、等）の修理及び／又は交換のための、ディスプレイステム３０４の内部の組み立て及びそれへのアクセスを容易化することができる。
【００９０】
図１７〜図１９は、いくつかの実施形態に係る２部品ブラケット２３０を示す。２部品ブラケット２３０は、それぞれの部品がブラケットアーム２３８を含む、第１の部品２９０と、第２の部品２９４と、を備えることができる。いくつかの実施形態では、第１の部品２９０及び第２の部品２９４はそれぞれ、それらの一端に配設されたリップ２４５を備える。リテーナ本体２０２上の凹領域２１０は、部品２９０及び部品２９４をリテーナ本体２０２に回転しないように固定するよう、リップ２４５の少なくとも一部分を受容してもよい（図１９、等を参照）。部品２９０及び２９４は、図１８に示すように、それぞれの部品の少なくとも一部分が、プラグの凹部２７０の一部分と、プラグの凹部２７０内のケーブルアクセス２０８内に差し込まれた補助ケーブル４０２と、を包み、ケーブルアクセス２０８に接続されている補助ケーブル４０２をしっかりと保持するよう、リテーナ本体２０２上に組み付けることができる。このようにして、補助ケーブル４０２は、ブラケット２３０により保持されており、ブラケット２３０をリテーナ本体２０２から取り外すことなく、補助ケーブル４０２をリテーナ本体２０２から取り外すことはできない。
【００９１】
一実施形態に係る、２部品ブラケット２３０を有するリテーナ２００のアセンブリを、図１８及び図１９に示す。第１に、補助ケーブル４０２は、ケーブルアクセス２０８を含む、プラグの凹部２７０内に差し込むことができる。図１８に示すように、プラグの凹部２７０は、プラグ４０８上に位置するプラグフランジ４１０の少なくとも一部分を受容するようなサイズと形状を有してもよい。いくつかの実施形態では、プラグの凹部２７０は、プラグフランジ４１０の外面４１２が、リテーナ本体２０２の外面２１８と連続する表面を形成するよう（即ち、外面２１８に同一平面となるよう）、プラグフランジ４１０全体を受容することができる。補助ケーブルを取り付けた後、それぞれのブラケット部品２９０／２９４は、例えば、締結具４０４を穴２４４内に固定することにより、取り付けることができる。
【００９２】
第１の部品２９０は、第１のカップリング２９２と、第２のカップリング２９３と、を含んでもよく、第２の部品２９４は、第３のカップリング２９６と、第４のカップリング２９７と、を含んでもよい。部品２９０及び２９４がリテーナ本体２０２に取り付けられると、第１のカップリング２９２及び第３のカップリング２９６は、リテーナ本体２０２の一側面を包み、互いに接触することになる（図１９を参照）。更に、第２のカップリング２９３及び第４のカップリング２９７は、リテーナ本体２０２の他の側面と、プラグの凹部２７０の少なくとも一部分と、プラグフランジ４１０と、を包んでもよい。いくつかの実施形態では、第２のカップリング２９３及び第４のカップリング２９７は、プラグフランジ４１０の外面４１２に少なくとも部分的に一致する形状を有してもよい。
【００９３】
図１９に示すようにリテーナ２００が一度組み立てられると、保持ケーブル３２８は、リテーナ本体２０２に、連結要素２２２を介して取り付けることができる。いくつかの実施形態では、製品１０２は、ブラケットの部品２９０／部品２９４が組み立てられる前に、固定面２０６に固定してもよい。いくつかの実施形態では、部品２９０／２９４は、製品１０２が固定面２０６に取り付けられる前に、（締結具４０４を部分的に固定することにより、等）緩く組み付けられ、続いて、よう、製品１０２は、固定面２０６に取り付けられ（締結具４０４を完全に締め付けることにより、等）て、リテーナ２００上に完全に固定された後に、完全に組み立ててもよい。
【００９４】
図２０〜図２３は、いくつかの実施形態に係る第１の磁石２２８及び第２の磁石３２６の構成を示す。図２０〜図２３に示す第１の磁石２２８及び第２の磁石３２６の構成は、凹部３２０内に４つの所定の回転方向（０°、９０°、１８０°、及び２７０°）を有するリテーナ本体２０２をもたらす。図２０及び図２１に示すように、インサート３１８は、スロート領域３１５のまわりに放射状に位置する８つの空洞３２４内に配設された８つの第２の磁石３２６を含んでもよい。図２０は、第２の磁石３２６の分解図を示し、図２１は、図１５の矢印１６から見た上面図を示す。図２２では、内壁３２２が取り除かれており、凹部３２０に関連付けられた異なる構成要素を示す。図２０では、スロート領域３１５のまわりに放射状に配設された８つの第２の磁石３２６は、内壁３２２に対向する、交互の極性（即ち、交互の正極性及び負極性の方向）を有する。言い換えると、８つの第２の磁石３２６は、極性が負の第２の磁石３２６ｎ（即ち、その負極がスロート領域３１５及び回転軸５０２に向けて方向付けられた磁石）が、２つの、極性が正の第２の磁石３２６ｐ（即ち、その正極がスロート領域３１５及び回転軸５０２に向けて方向付けられた磁石）の間に配設され、逆もまた同様である。いくつかの実施形態では、第２の磁石３２６のそれぞれは、図２１に示すように、均等に、放射状に間隔があいている（８つの第２の磁石３２６は、スロート領域３１５のまわりに、放射状に、４５度毎に配置してもよい、即ち、４つの、極性が負の第２の磁石３２６ｎは、９０度毎に放射状に間隔をあけてもよく、４つの、極性が正の第２の磁石３２６ｐは、９０度毎に放射状に間隔をあけてもよい、等）。
【００９５】
連結要素２２２のまわりに放射状に位置する４つの空洞２２６内に配設された４つの第１の磁石２２８を有する補完的なリテーナ本体２０２を、図２２及び図２３に示す。図２２及び図２３に示す４つの第１の磁石２２８のそれぞれは、外面２１８に対向する同じ極性（即ち、同じ極性方向）を有する。いくつかの実施形態では、４つの第１の磁石２２８のそれぞれは、極性が正であってもよい（即ち、外面２１８上に位置し、その正極がリテーナ本体２０２の中心及び回転軸５０２から離れて方向付けられた磁石）。いくつかの実施形態では、４つの第１の磁石２２８のそれぞれは、極性が負であってもよい（即ち、外面２１８上に位置し、その負極がリテーナ本体２０２の中心及び回転軸５０２から離れて方向付けられた磁石）。いくつかの実施形態では、図２３に示すように、第１の磁石２２８のそれぞれは、均等に、放射状に間隔があいている（４つの第１の磁石２２８は、リテーナ本体２０２の中心のまわりに（連結要素２２２のまわりに、等）、９０度毎に、放射状に配置してもよい、等）。
【００９６】
第１の磁石２２８が正の極性又は負の極性となるように配列されているかに関わらず、４つの第１の磁石２２８は、４つの第１の磁石２２８とは逆の極性を有する複数の第２の磁石３２６との間の磁気引力により、所定の回転方向（０°、９０°、１８０°、及び２７０°）に、リテーナ本体２０２の回転を引き起こすよう構成されている。例えば、０°、９０°、１８０°、２７０°が、図２１及び図２３内の十字線により示されるように画定されていると仮定すると、第１の磁石２２８は、極性が負の第２の磁石３２６ｎを引き付けるよう、正の極性とすることができる。極性が負の第２の磁石３２６ｎを引き付けている間に、極性が正の第１の磁石２２８はまた、極性が正の第２の磁石３２６ｐをはじき、これによって、リテーナ本体２０２を強制的に所定の向きに向かせる。製品１０２をリテーナ２００上に取り付けると、結果として、所定の向きにのみディスプレイされた製品１０２をもたらし、この向きは、いくつかの実施形態では、製品１０２に対する縦位置及び横位置に対応し得る。例えば、図２６は、製品１０２に対する縦位置に対応する、０°（製品１０２Ａ）及び１８０°（製品１０２Ｃ）と、製品１０２に対する横位置に対応する、９０°（製品１０２Ｂ）及び２７０°（製品１０２Ｄ）と、に方向付けられた製品１０２を示す。
【００９７】
図２０に示すように、インサート３１８は、第２の磁石３２６の下に配設された環形リング３５０を備えてもよい。環形リング３５０は、本体３５４により画定される開口部３５２を含んでもよい。本体３５４は、空洞３２４及びそこに配設された第２の磁石３２６を覆うようなサイズ及び形状を有することができる。いくつかの実施形態では、本体３５４は、環形リング３５０を所定の場所に保持するよう、固定具３１９を受容するためのスロット３５６を備えてもよい。いくつかの実施形態では、環形リング３５０は、フェライト系材料で作製してもよい。いくつかの実施形態では、フェライト系材料は、例えば、１００８〜１０１２ステンレス鋼などのステンレス鋼とすることができる。環形リング３５０のフェライト系材料は、第１の磁石２２８及び第２の磁石３２６（即ち、正極性及び負極性の方向を有する磁石）により生成された反対の磁場を合わせることにより磁石強度を増幅し、これにより、磁石間の引力／反発力を増すことができる。
【００９８】
図２４は、いくつかの実施形態に係る、リテーナ２００の構成要素を取り付け、及び／又は、取り外し、並びに、保持ケーブル３２８をリテーナ２００から取り外すためのツール５１０を示す。ツール５１０は、保持ケーブル３２８の端部３２９を連結要素２２２から解放するよう、リテーナ本体２０２上の取り外し開口２５４に挿入可能な取り外しツール５１８を備えることができる。取り外しツール５１８は、ツール５１０の本体５１２にヒンジ５２２を介してヒンジ式に接続された任意の数のピン（２つのピン５２０、等）を備えることができる。ピン５２０は、使用しない際には、本体５１２の溝５２４内に受容してもよい。ピン５２０は、リテーナ本体２０２上の取り外し開口２５４の形状に対応する形状を有してもよい。いくつかの実施形態では、ピン５２０及び取り外し開口２５４は、不規則な、又は回転しない対称形状を有してもよい。いくつかの実施形態では、ツール５１０はまた、ツール５１０の近位端５１４上のヒンジ５２２に隣接して位置する切り込み５１９を備えることができる。切り込み５１９は、保持ケーブル３２８が切り込み５１９（図２５を参照）内に位置している間に、ピン５２０が取り外し開口２５４内に挿入され得るよう、保持ケーブル３２８を受容するサイズ及び形状を有することができる。
【００９９】
ツール５１０はまた、リテーナ２００を組み立てる／分解するための、把持ツール５２６及び取り付けツール５２８（アレンレンチ又はねじドライバヘッド、等）などの、他のツールを備えることができる。把持ツール５２６は、ツール５１０の遠位端５１６に位置してもよく、固定面２０６と、製品１０２の背面１０４との間の接着ボンドを除去するよう使用することができる。把持ツール５２６は、ユーザが、金槌の頭のつめを用いて釘を抜くのと類似の方法で、リテーナ本体２０２に力を掛け得るよう、リテーナ本体２０２の一部分の下にスライド移動するよう構成することができる。取り付けツール５２８は、ブラケット２３０をリテーナ本体２０２に取り付け、又は取り外すために、締結具４０４を締め付ける又は緩めるよう使用することができる。いくつかの実施形態では、取り付けツール５２８は、本体５１２に、ヒンジ５３０を介してヒンジ式に接続してもよく、使用しない際には、凹部５３２内に受容してもよい。
【０１００】
図２５を参照して、ツール５１０の作動を以下に説明する。保持ケーブル３２８がリテーナ本体２０２に取り付けられると、切り込み５１９は、保持ケーブル３２８の周りに位置することができ、ピン５２０は、取り外し開口２５４と一直線になることができる。続いて、ピン５２０を取り外し開口２５４内に挿入してもよい。ピン５２０が取り外し開口２５４内に受容されると、ピン５２０は、リテーナ本体２０２内に位置する解放機構２５５（図１４を参照）を作動させ、端部３２９を連結要素２２２から解放することができる。いくつかの実施形態では、解放機構２５５は、取り外し開口２５４に対応する形状を有するピン５２０が、取り外し開口２５４内に同時に挿入された際にのみ作動することができる。保持ケーブル３２８が一度解放されると、引き込み機構３３０が保持ケーブル３２８をディスプレイステム３０４に向けてすぐに引かないよう、切り込み５１９が端部３２９を保持することができる。
【０１０１】
前述の説明は、記述される実施形態の完全な理解を提供するために、説明を目的として特定の専門用語を使用した。しかしながら、それらの具体的詳細の多くは、説明される実施形態を実施するために必須のものではないことが、当業者には明らかとなるであろう。それゆえ、本明細書で説明した具体的な実施形態の上述の説明は、例示及び説明の目的のために提示されるものである。それらの説明は、網羅的であることも、又は開示される厳密な形態に実施形態を限定することも、目的とするものではない。上記の教示を考慮して多くの変更及び変形が可能であることが当業者には明らかとなるであろう。例えば、２０１２年１０月１５日に出願された、表題が「Ｍｅｔｈｏｄｓ  ａｎｄ  Ｓｙｓｔｅｍｓ  ｆｏｒ  Ｄｉｓｐｌａｙｉｎｇ  ａ  Ｐｒｏｄｕｃｔ」である米国特許出願第１３／６５２，０３８号（発明者：Ｈｏｗａｒｔｈ  ｅｔ  ａｌ．）は、本明細書に説明する要素に類似し、対応するいくつかの要素を含み、そこに説明する特徴は、当業者により認識されるように、本明細書に説明するそれらの要素に適用することができる。米国特許出願第１３／６５２，０３８号は、参照することにより本明細書に組み込まれる。
【０１０２】
「発明を実施するための形態」の部分は、特許請求の範囲の解釈に使用されることを意図する。「発明の概要」の部分及び「要約書」の部分は、発明者が考えている、本発明の全てではないが、１つ以上の本発明の例示的な実施形態を明らかにすることができ、したがって、本発明及び添付の特許請求の範囲を多少なりとも制限することを意図してはいない。
【０１０３】
特定の実施形態の上述の説明は本発明の一般的特質を十分に明らかにするであろうから、他者は、当業分野の技術範囲内の知識を適用することによって、必要以上の実験を行うことなく、本発明の一般概念から逸脱することなく、こうした特定の実施形態を種々の用途のために容易に変更及び／又は適合させることができる。したがって、このような適合及び変更は、本明細書に提示されている教示及び手引きに基づき、開示されている実施形態の均等物の趣旨及び範囲内に入ることが意図されている。本明細書における表現又は用語は説明の目的のためのものであって、限定の目的のためのものではなく、そのため、本明細書の用語又は表現は、当業者によって教示及び説明を考慮して、解釈されるべきであることを理解されたい。
【０１０４】
本発明の広さ及び範囲は上述の例示的な実施形態のいずれによっても限定されるべきではなく、添付の請求項及びそれらの均等物によってのみ画定されるべきである。
【図１】
0006416917.tif 000002
【図２】
0006416917.tif 000003
【図３】
0006416917.tif 000004
【図４】
0006416917.tif 000005
【図５】
0006416917.tif 000006
【図６】
0006416917.tif 000007
【図７】
0006416917.tif 000008
【図８】
0006416917.tif 000009
【図９】
0006416917.tif 000010
【図１０】
0006416917.tif 000011
【図１１】
0006416917.tif 000012
【図１２】
0006416917.tif 000013
【図１３】
0006416917.tif 000014
【図１４】
0006416917.tif 000015
【図１５】
0006416917.tif 000016
【図１６】
0006416917.tif 000017
【図１７】
0006416917.tif 000018
【図１８】
0006416917.tif 000019
【図１９】
0006416917.tif 000020
【図２０】
0006416917.tif 000021
【図２１】
0006416917.tif 000022
【図２２】
0006416917.tif 000023
【図２３】
0006416917.tif 000024
【図２４】
0006416917.tif 000025
【図２５】
0006416917.tif 000026
【図２６】
0006416917.tif 000027